(57)【要約】【課題】アンテナの設置位置や方向などにより受信感度が悪い位置に設置された受信装置から良好な放送信号を得ることができない。【解決手段】複数の受信装置と増幅装置とがネットワークを介して接続されたＡＶシステムにおいて、受信装置は、電波による放送信号を受信した放送信号を出力すると共に前記放送信号の受信感度を検出し、検出した受信感度を受信感度情報としてネットワークに出力し、増幅装置は、前記増幅装置ネットワークインターフェースが受信した信号を増幅し出力する出力部と、ネットワークに接続されている複数の受信装置から受信感度情報を取得し、取得した受信感度情報を比較し、最も高い受信感度情報を出力した受信装置から送信された放送信号を出力部から出力する。【選択図】      図２
2007060575.tif 000002
【特許請求の範囲】
【請求項１】
電波による放送信号を受信する複数の受信装置と、信号を増幅して出力する増幅装置と、前記複数の受信装置と前記増幅装置とがネットワークを介して接続されたＡＶシステムにおいて、前記受信装置は、前記ネッワークに接続しデータの送受信を行う受信装置ネットワークインターフェースと、電波による放送信号を受信すると共に前記放送信号の受信感度を検出する受信装置受信部と、前記受信装置受信部が検出した受信感度を受信感度情報として前記ネットワークに出力する制御部とを備え、前記増幅装置は、前記ネットワークに接続しデータの送受信を行う増幅装置ネットワークインターフェースと、前記増幅装置ネットワークインターフェースが受信した信号を増幅し出力する出力部と、前記ネットワークに接続されている前記複数の受信装置から受信感度情報を取得し、取得した受信感度情報を比較し、最も高い受信感度情報を出力した受信装置から送信された放送信号を前記出力部から出力する制御を行う増幅装置制御部とを備えることを特徴とするＡＶシステム。
【請求項２】
請求項１記載のＡＶシステムにおいて、前記増幅装置は、更に電波による放送信号を受信し出力すると共に当該放送信号の受信感度を検出し受信感度情報を出力する増幅装置受信部を備え、前記増幅装置制御部は、前記ネットワークに接続された前記複数の受信装置及び前記増幅装置受信部から取得した受信感度情報の中から受信感度が最も高い受信感度情報を出力した受信装置又は増幅装置受信部を選択し、受信感度が最も高い受信装置又は増幅装置受信部から出力された放送信号を取得し前記出力部から出力する制御を行うことを特徴とするＡＶシステム。
【請求項３】
電波による放送信号を受信することが可能な受信装置が複数接続されたネットワークに接続され、前記ネットワークから受信した信号を増幅して出力する増幅装置において、前記ネッワークに接続しデータの送受信を行う増幅装置ネットワークインターフェースと、前記増幅装置ネットワークインターフェースが受信した信号に対し信号処理を施す信号処理部と、前記信号処理から出力された信号を増幅して出力する出力部と、前記増幅装置ネットワークインターフェースを介して前記ネットワークに接続されている複数の受信装置に対し特定の放送信号を受信させ、受信した放送信号の受信感度を示す受信感度情報を前記複数の受信装置から取得し、取得した受信感度情報の中から受信感度が最も高い受信感度情報を出力した受信装置を選択し、受信感度が最も高い受信装置から放送信号を取得し前記出力部から出力する制御を行う増幅装置制御部とを備えることを特徴とする増幅装置。
【請求項４】
請求項３記載の増幅装置において、前記増幅装置は、更に電波による放送信号を受信し出力すると共に当該放送信号の受信感度を検出し受信感度情報を出力する増幅装置受信部を備え、前記増幅装置制御部は、前記ネットワークに接続された複数の受信装置及び前記増幅装置受信部から取得した受信感度情報の中から受信感度が最も高い受信装置又は増幅装置受信部を選択し、受信感度が最も高い受信装置又は増幅装置受信部から放送信号を取得し前記出力部から出力する制御を行うことを特徴とする増幅装置。
【発明の詳細な説明】
【技術分野】
【０００１】
本発明は、ネットワークを介して接続された装置から信号を受信し出力する増幅装置および当該増幅装置を備えたＡＶシステムに関する。
【背景技術】
【０００２】
近年、オーディオプレーヤ、ビデオプレーヤ、コンポーネントステレオ、デレビ受信機、ラジオ受信機、ＡＶ（Audio Visual）アンプなどの複数のＡＶ機器をネットワーク接続し、各ＡＶ機器間でデータの伝送が可能なＡＶシステムが普及し始めた。当該ＡＶシステムにおいては、例えば、モニタ及びスピーカが接続されたＡＶアンプが部屋Ａに設置され、テレビ受信機に接続されたビデオプレーヤが部屋Ｂに設置されている場合がある。部屋Ａにおいて、ビデオプレーヤで再生したビデオ信号及びオーディオ信号を出力する場合、ＡＶアンプがビデオプレーヤにデータ送信要求の制御信号を送信し、ビデオプレーヤは、当該制御信号に応じてデータをＡＶアンプに送信し、ＡＶアンプは、ビデオプレーヤから送信されてきたデータを受信し、当該データのビデオ信号及びオーディオ信号をモニタ及びスピーカから出力する。このようなシステムが、特許文献１及び特許文献２に開示されている。
【０００３】
【特許文献１】特開２００１−１２５８６４
【特許文献２】特開２００１−２５７７０７
【発明の開示】
【発明が解決しようとする課題】
【０００４】
特許文献１及び２に開示さてれいるようなシステムにおいて、ラジオ放送を受信するラジオ受信機やテレビ放送を受信するテレビ受信機などの複数の電波放送受信装置（チューナ）がネットワーク接続され、更に、ラジオ受信機搭載のＡＶアンプがネットワーク接続されることがある。当該システムにおいて、例えば、ＡＶアンプに搭載されているラジオ受信機によりラジオ放送を受信し、オーディオ信号をＡＶアンプから出力させる場合がある。このような場合、ラジオ受信機に接続又は内蔵されているアンテナの設置位置や設置方向などにより電波の受信状態が変化したり、或いは、放送局により電波の送信状態が異なり、同じラジオ放送局を受信する場合でも、ラジオ受信機が設置されている位置などにより受信状態が異なることがある。例えば、家庭内において各部屋に複数のラジオ受信機が点在している場合、放送局Ａについては、部屋Ａのラジオ受信機Ａが他の部屋のラジオ受信機より感度が良く、また、放送局Ｂについは、部屋Ｂのラジオ受信機Ｂが他の部屋のラジオ受信機より感度が良いことがある。
【０００５】
このため、ＡＶシステムにおいて、ＡＶアンプが搭載するラジオ受信機の感度が悪い場合には、ＡＶアンプにおいてラジオ放送の高音質のオーディオ信号を再生し出力することができない。
【０００６】
また、放送信号の受信位置等が原因で受信状態が悪化する際の対処方法として、例えばＲＤＳ（Radio Data System）などの放送システムを利用することが挙げられるが、当該放送システムでは、放送局とラジオ受信機の両方が当該放送システムに対応している必要があり、当該放送システムに対応していないラジオ受信機及び地域においては利用することができない。
【０００７】
また、車載用のラジオ受信機は、例えば、複数のアンテナを設置し、当該複数のアンテナのうち受信感度が良いアンテナを選択するダイバーシティ技術を用いることができる。しかし、一般家庭において、複数のアンテナを複数の箇所（部屋）に設置し、ダイバーシティ機能を有するラジオ受信機により受信を行う必要があり、複数のアンテナが設置されることにより、配線数が多くなり繁雑になる。
【０００８】
また、アンテナ又はアンテナに接続された配線がテレビ受信機やパソコンの周辺に設置された場合、テレビ受信機やパソコンから放射される高周波の電波により、受信状態が悪化することがある。
【０００９】
本発明は、アンテナの数又は配線数を多くすることなく、ネットワークに接続されているチューナにより感度が良好な放送信号を受信し出力することができる増幅装置及びＡＶシステムを提供することを目的とする。
【課題を解決するための手段】
【００１０】
本発明は、電波による放送信号を受信する複数の受信装置と、信号を増幅して出力する増幅装置と、前記複数の受信装置と前記増幅装置とがネットワークを介して接続されたＡＶシステムにおいて、前記受信装置は、前記ネッワークに接続しデータの送受信を行う受信装置ネットワークインターフェースと、電波による放送信号を受信すると共に前記放送信号の受信感度を検出する受信装置受信部と、前記受信装置受信部が検出した受信感度を受信感度情報として前記ネットワークに出力する制御部とを備え、前記増幅装置は、前記ネットワークに接続しデータの送受信を行う増幅装置ネットワークインターフェースと、前記増幅装置ネットワークインターフェースが受信した信号を増幅し出力する出力部と、前記ネットワークに接続されている前記複数の受信装置から受信感度情報を取得し、取得した受信感度情報を比較し、最も高い受信感度情報を出力した受信装置から送信された放送信号を前記出力部から出力する制御を行う増幅装置制御部とを備えることを特徴とする。
【００１１】
本発明は、電波による放送信号を受信することが可能な受信装置が複数接続されたネットワークに接続され、前記ネットワークから受信した信号を増幅して出力する増幅装置において、前記ネッワークに接続しデータの送受信を行う増幅装置ネットワークインターフェースと、前記増幅装置ネットワークインターフェースが受信した信号に対し信号処理を施す信号処理部と、前記信号処理から出力された信号を増幅して出力する出力部と、前記増幅装置ネットワークインターフェースを介して前記ネットワークに接続されている複数の受信装置に対し特定の放送信号を受信させ、受信した放送信号の受信感度を示す受信感度情報を前記複数の受信装置から取得し、取得した受信感度情報の中から受信感度が最も高い受信感度情報を出力した受信装置を選択し、受信感度が最も高い受信装置から放送信号を取得し前記出力部から出力する制御を行う増幅装置制御部とを備えることを特徴とする。
【００１２】
本発明は、前述した増幅装置において、更に電波による放送信号を受信し出力すると共に当該放送信号の受信感度を検出し受信感度情報を出力する増幅装置受信部を備え、前記増幅装置制御部は、前記ネットワークに接続された複数の受信装置及び前記増幅装置受信部から取得した受信感度情報の中から受信感度が最も高い受信装置又は増幅装置受信部を選択し、受信感度が最も高い受信装置又は増幅装置受信部から放送信号を取得し前記出力部から出力する制御を行うことを特徴とする。
【発明の効果】
【００１３】
本発明によれば、複数のＡＶ機器がネットワーク接続された増幅装置および当該増幅装置を備えたＡＶシステムにおいて、アンテナの数又は配線数を多くすることなく、ネットワークに接続されているチューナにより感度が良好な放送信号を受信し出力することができる。
【発明を実施するための最良の形態】
【００１４】
図１は、本発明のＡＶシステムの一実施例の概略構成を示す図である。
図１において、ＡＶシステムは、家庭内に設置されたＡＶシステムを例に挙げ説明する。ＡＶシステムは、ラジオチューナ内蔵の増幅装置（ＡＶアンプ）１００、ラジオ受信機２００、ラジオチューナ，コンパクトディスク（ＣＤ：Compact Disc）プレーヤ及びミニディスク（ＭＤ：Mini Disc）プレーヤ内蔵のコンポーネントステレオ３００、デジタルバーサタイルディスク（ＤＶＤ：Digital Versatile Disc）プレーヤ４００、テレビチューナ内蔵のハードディスク（ＨＤ：Hard Disc）レコーダ５００及びテレビ受信機６００を備え、ＡＶアンプ１００、ラジオ受信機２００、コンポーネントステレオ３００及びＨＤレコーダ５００は、ネットワーク７００に接続されている。
【００１５】
ＡＶシステムは、家庭内に設置され、各装置は、部屋Ａ〜部屋Ｄのそれぞれに設置される。すなわち、図１に示すように、部屋Ａ（例えば、リスニングルーム）には、ＡＶアンプ１００とＤＶＤプレーヤ４００が設置され、ＡＶアンプ１００には、ＡＶアンプラジオチューナ用のアンテナ１００ａ、映像を表示するためのモニタ１００ｂ、音を出力するためのスピーカ１００ｃが接続されている。また、部屋Ｂ（例えば、寝室）には、ラジオ受信機２００が設置され、ラジオ受信機２００にはラジオ放送受信用のアンテナ２００ａが接続されている。また、部屋Ｃ（例えば、書斎部屋）には、コンポーネントステレオ３００が設置され、コンポーネントステレオ３００にはラジオ放送受信用のアンテナ３００ａが接続されている。また、部屋Ｄ（例えば、リビングルーム）には、ＨＤレコーダ５００とテレビ受信機６００が設置されている。
【００１６】
ネットワーク７００は、例えばローカル・エリア・ネットワーク（ＬＡＮ：Local Area Network）等であり、各装置間における通信の確立・切断、制御信号の伝送、データ伝送などが可能である。
【００１７】
ＡＶアンプ１００は、ラジオチューナ（ＡＶアンプラジオチューナ）を内蔵し、ＡＶアンプラジオチューナで受信したオーディオ信号を増幅しスピーカ１００ｃに出力する。また、ＡＶアンプ１００は、ネットワーク７００に接続されたラジオ受信機２００、コンポーネントステレオ３００に対し制御信号を送信し、ラジオ受信機２００又はコンポーネントステレオ３００のラジオ放送受信を制御すると共に、ラジオ受信機２００又はコンポーネントステレオ３００が受信したラジオ放送の放送信号をネットワークを介して受信し、オーディオ信号を増幅しスピーカ１００ｃから出力する。
【００１８】
ラジオ受信機２００は、アンテナ２００ａによりラジオ放送を受信し、受信した放送信号のオーディオ信号をラジオ受信機２００に内蔵されたスピーカ或いはＡＶアンプ１００に出力する。ここで、説明の便宜上、以降の説明ではラジオ受信機２００を第１ラジオチューナ２００として説明する。
【００１９】
コンポーネントステレオ３００は、ラジオ放送を受信する機能の他にＣＤプレーヤやＭＤプレーヤを搭載した装置である。コンポーネントステレオ３００は、アンテナ３００ａによりラジオ放送を受信し、受信した放送信号のオーディオ信号を当該コンポーネントステレオ３００に内蔵されたスピーカ或いはＡＶアンプ１００に出力する。また、コンポーネントステレオ３００は、ＣＤやＭＤを再生し、再生したオーディオ信号を当該コンポーネントステレオ３００に内蔵されたスピーカ或いはＡＶアンプ１００に出力する。ここで、説明の便宜上、以降の説明ではコンポーネントステレオ３００を第２ラジオチューナ３００として説明する。
【００２０】
また、第１ラジオチューナ２００及び第２ラジオチューナ３００は、ＡＶアンプ１００からの制御信号を受信する機能を備える。第１ラジオチューナ２００及び第２ラジオチューナ３００は、ＡＶアンプ１００からの制御信号に基づいて、第１ラジオチューナ２００及び第２ラジオチューナ３００がラジオチューナであることを示す情報及び装置を特定するための情報を送信する。第１ラジオチューナ２００及び第２ラジオチューナ３００は、ＡＶアンプ１００からの制御信号に基づいて、ＡＶアンプ１００から要求された放送局の選択と放送信号の受信、ラジオ放送の受信感度を示す受信感度情報のＡＶアンプ１００への送信、ラジオ放送の受信の開始及び停止、受信した放送局の放送信号のＡＶアンプ１００への送信を行う。
【００２１】
また、第１ラジオチューナ２００及び第２ラジオチューナ３００において、ラジオ放送の受信感度の検出は、受信電波の強度により検出する。受信感度の検出は、予め定めた中心周波数（放送局の周波数）を中心に受信周波数を変化させ、受信電波の強度が最大となった周波数における受信電波の強度のレベルを当該放送局の受信感度の値とする。検出した値は、受信感度情報としてＡＶアンプ１００に送信する。
【００２２】
ＤＶＤプレーヤ４００は、ＤＶＤを再生し、再生したビデオ信号及びオーディオ信号をＤＶＤプレーヤが接続されているＡＶアンプ１００に出力する。ＡＶアンプ１００は、ＤＶＤ４００から出力されるたビデオ信号及びオーディオ信号を、モニタ１００ｂ及びスピーカ１００ｃから出力する。
【００２３】
ＨＤレコーダ５００は、テレビチューナを内蔵し、テレビチューナが受信したテレビ放送の放送信号をＨＤに記録すると共に、ＨＤに記録されたビデオ信号及びオーディオ信号を、ＨＤレコーダ５００が接続されているテレビ受信機６００に出力する。テレビ受信機６００は、テレビ放送信号を受信し、出力する。
【００２４】
本実施例のＡＶシステムについて説明する。本実施例では、ＡＶシステムのうち、ＡＶアンプ１００と第１ラジオチューナ（ラジオ受信機）２００とを例に挙げ説明する。
図２は、本実施例のＡＶアンプ及び第１ラジオチューナの概略構成を示す図である。
【００２５】
最初に、ＡＶアンプ１００について説明する。
ＡＶアンプ１００は、ネットワークインターフェース１０１、入力部１０２、ＡＶアンプラジオチューナ１０３、信号処理部１０４、ビデオ出力部１０５、オーディオ出力部１０６、操作部１０７、表示部１０８、受信感度情報記憶部１０９、制御部１１０を備える。
【００２６】
ネットワークインターフェース１０１は、ネットワーク７００と接続し、ネットワーク７００を介して他の装置への制御信号の送信、他の機器から送信されたデータの受信を行う。ネットワークインターフェース１０１は、他の機器から送信されたデータが制御信号である場合には当該データを後述する制御部１１０に出力し、他の機器から送信されたデータがビデオ信号やオーディオ信号である場合には当該データを後述する信号処理部１０４に出力する。
【００２７】
入力部１０２は、他の装置から入力するビデオ信号やオーディオ信号を受信し、受信したビデオ信号やオーディオ信号は、後述する信号処理部１０４に出力する。本実施例において、入力部１０２は、図１に示すようにＤＶＤプレーヤ４００から入力するビデオ信号やオーディオ信号を受信する。
【００２８】
ＡＶアンプラジオチューナ１０３は、後述する制御部１１０の制御に基づいて、受信するラジオ放送局の選局を行い、アンテナ１００ａにより選局されたラジオ放送を受信し、受信した放送信号をオーディオ信号に変換し、当該オーディオ信号を信号処理部１０４に出力する。また、ＡＶアンプラジオチューナ１０３は、後述する制御部１１０の制御に基づいて、受信した放送信号の受信感度を検出し、検出した値を受信感度情報として制御部１１０に出力する。ここで、ＡＶアンプラジオチューナ１０３における受信感度の検出は、前述した第１ラジオチューナ２００又は第２ラジオチューナ３００と同様の方式により検出する。
【００２９】
信号処理部１０４は、ネットワークインターフェース１０１から入力したビデオ信号及びオーディオ信号、または、ＡＶアンプラジオチューナ１０３から入力したオーディオ信号に対し、伸張処理等のデコード処理、圧縮データを伸張する伸張処理、オーディオ信号をサラウンド信号に変換する信号処理等を施し、ビデオ信号をビデオ出力部１０５に出力し、オーディオ信号をオーディオ出力部１０６に出力する。
【００３０】
ビデオ出力部１０５は、信号処理部１０４から入力したビデオ信号を、ＡＶアンプ１００に接続されているモニタ１００ｂの表示方式に適合するアナログビデオ信号に変換し、当該アナログビデオ信号をモニタ１００ｂに出力する。
【００３１】
オーディオ出力部１０６は、信号処理部１０４から入力したオーディオ信号に対しデジタルアナログ変換処理を施した後、アナログオーディオ信号を増幅し、ＡＶアンプ１００に接続されているスピーカ１００ｃに出力する。
【００３２】
操作部１０７は、ネットワーク７００を介して、或いは、ＡＶアンプ１００に直接接続されている装置の中からビデオ信号及びオーディオ信号を再生する装置の選択、オーディオ信号の再生方法（ステレオ出力、マルチチャンネル出力）の選択、オーディオ信号の増幅度の調整、ＡＶアンプラジオチューナ１０３において受信する放送局の選択などの操作ボタン等を備え、ユーザにより操作された操作ボタンに基づいて指示信号を後述する制御部１１０に出力する。
【００３３】
表示部１０８は、後述する制御部１１０の制御に基づいて、操作部により選択された装置に関する表示、オーディオ信号の増幅度に関する表示、ＡＶアンプラジオチューナ１０３における放送局の選局に関する表示等を行う。
【００３４】
受信感度情報記憶部１０９は、後述する制御部１１０の制御に基づいて、受信感度情報と当該受信感度情報を取得した装置を特定するための識別情報とを記憶する。
【００３５】
制御部１１０は、ＡＶアンプ１００全体を総合的に制御する。制御部１１０は、操作部１０７からの指示信号に基づいて、ＡＶアンプ１００から出力するビデオ信号及びオーディオ信号の供給を受ける装置の選択、オーディオ信号の出力方式（ステレオ出力、サラウンド出力など）の選択、オーディオ信号の音量の調整、ＡＶアンプラジオチューナ１０３における受信する放送局の選択等を行う。
【００３６】
制御部１１０は、ユーザが操作部１０７を操作しラジオチューナ機能を選択し、受信する放送局を選択した場合、自動的に、ＡＶアンプラジオチューナ１０３、第１ラジオチューナ２００及び第２ラジオチューナ３００に対し、チューナ選択処理を行う。ここで、制御部１１０は、ＡＶアンプ１００が接続されているネットワーク７００の通信プロトコルにより、ネットワーク７００に接続されている装置の情報（種類など）の取得、受信する放送局の選局等の制御を行う。
【００３７】
チューナ選択処理について説明する。
ＡＶアンプ１００の制御部１１０は、ラジオチューナ機能が選択され、受信する放送局が選局された場合、ＡＶアンプラジオチューナ１０３に、受信する放送局を選局させ、ラジオ放送を受信させ、当該ＡＶアンプラジオチューナ１０３における選局された放送局の受信感度を検出させる。そして、制御部１１０は、検出した受信感度情報を取得し、当該受信感度情報を受信感度情報記憶部１０９に記憶する。
【００３８】
また、制御部１１０は、ＡＶアンプラジオチューナ１０３における受信感度の検出と共に、ネットワーク７００に接続されている装置に対し、装置情報の送信要求を行い、装置情報を取得する。ここで、ＡＶアンプ１００からの装置情報の送信要求に対し、ネットワーク７００に接続されている装置のうち、制御信号の送受信の通信プロトコルに対応していない装置或いは電源がオフの装置は、装置情報の送信要求の制御信号に対して応答しない。
【００３９】
制御部１１０は、取得した装置情報からラジオ放送の受信機能を備える装置（第１ラジオチューナ２００、第２ラジオチューナ３００）を検出し、第１ラジオチューナ２００及び第２ラジオチューナ３００に対し受信感度情報の送信要求を行う。制御部１１０は、受信感度情報の送信要求に対し、第１ラジオチューナ２００及び第２ラジオチューナ３００から取得した受信感度情報を受信感度情報記憶部１０９に記憶する。
【００４０】
ここで、ネットワーク７００に接続されている第１ラジオチューナ２００又は第２ラジオチューナ３００に対する受信感度情報の送信要求において、第１ラジオチューナ２００又は２ラジオチューナ３００が放送信号の電波を受信する受信回路を１つのみ有する装置（シングルチューナ）であり、既に他の放送局の放送信号の受信を開始している場合、第１ラジオチューナ２００又は２ラジオチューナ３００は、受信拒否情報をＡＶアンプ１００に送信する。
【００４１】
また、第１ラジオチューナ２００又は第２ラジオチューナ３００が放送信号の電波を受信する受信回路を複数有する装置（例えば、ダブルチューナ）であり、既に他の放送局の放送信号の受信を開始しているが、放送信号を受信していない受信回路がある場合、第１ラジオチューナ２００又は２ラジオチューナ３００は、当該受信回路で放送局情報に基づいて放送局の放送信号の受信を行い、受信感度を検出し、ＡＶアンプ１００に受信感度情報を送信する。また、複数の受信回路を有する装置であっても、全ての受信回路が放送信号の受信を行っている場合、当該装置は、受信拒否情報をＡＶアンプ１００に送信する。
【００４２】
ＡＶアンプ１００の制御部１１０は、第１ラジオチューナ２００又は第２ラジオチューナ３００から受信拒否情報を受信した場合、当該装置における放送局の選択を中止し、当該ラジオチューナをチューナ選択の対象から外す制御を行う。このことにより、既に他人がラジオ放送を聴取している場合に、その聴取を妨害することがない。
【００４３】
また、ネットワーク７００に接続されている第１ラジオチューナ２００及び第２ラジオチューナ３００に対する受信感度情報の送信要求において、第１ラジオチューナ２００及び第２ラジオチューナ３００は、電源がスタンバイ状態の場合、ラジオ放送の受信を行う回路を動作させ、放送局の選局を行い、受信感度情報を検出し、受信感度情報をＡＶアンプ１００に送信する。
【００４４】
ＡＶアンプ１００の制御部１１０は、受信感度情報記憶部１０９に記憶された受信感度情報を比較し、受信感度の最も高いラジオチューナを選択する。制御部１１０は、ラジオチューナを選択すると、当該選択したラジオチューナに対し、放送信号のデータ送信を要求し、当該ラジオチューナから送信されてきたデータを受信すると、ネットワークインターフェース１０１、信号処理部１０４、オーディオ出力部１０７を制御し、ラジオチューナから受信したオーディオ信号をオーディオ出力部１０６から出力する制御を行う。
【００４５】
ここで、制御部１１０は、チューナ選択処理においては、オーディオ出力部１０６の出力をミュートし、チューナ選択処理を行い、チューナが選択されオーディオ信号を出力する際にオーディオ出力部１０６の出力のミュートを解除し、アナログオーディオ信号を出力するよう制御する。
【００４６】
また、制御部１１０は、チューナ選択処理における受信感度情報の取得を、ユーザが操作部１０７を操作しラジオチューナ機能が選択される毎に行い、新たな受信感度情報を取得した際、新しい受信感度情報に更新する。また、制御部１１０は、受信感度情報記憶部１０９に記憶された受信感度情報から、特定の放送局について特定のラジオチューナのみが所定回数（例えば、５回）以上選択されている場合には、他のラジオチューナにおける受信感度情報を取得する処理を行うことなく当該ラジオチューナを選択する。このことにより、チューナ選択処理の時間を短縮することができる。
【００４７】
また、チューナ選択処理において、ユーザが操作部１０７を操作し、ラジオチューナを選択した場合、制御部１１０は、表示部１０８にラジオチューナが選択された旨を表示し、放送局を示す放送局情報（例えば、「ＦＭ１」、「ＦＭ２」、「ＡＭ１」、「ＡＭ２」）を表示する。なお、放送局情報は、予め周波数が設定されており、例えば、「ＦＭ１」の場合には、ＮＨＫのラジオ放送が選局される。ユーザが表示部１０８に表示された放送局情報を見て、操作部１０７を操作し、受信する放送局を選局した場合、制御部１１０は、自動的に、ＡＶアンプラジオチューナ１０３に放送局の選局を行わせ、受信感度情報の取得を行う。それと共に、制御部１１０は、ネットワーク７００に接続されている装置に対し装置情報の取得と、装置情報により特定された第１ラジオチューナ２００及び第２ラジオチューナ３００からの受信感度情報の取得を行う。そして、受信感度が最も高いラジオチューナを選択し、当該ラジオチューナから受信した放送信号を受信し、当該放送信号のオーディオ信号を出力する制御を行う。
【００４８】
このことにより、ユーザのラジオチューナを選択し、放送局を選択する操作により、ユーザに気付かせることなく、最も受信感度が良いラジオチューナを選択し、当該ラジオチューナが受信した放送信号のオーディオ信号を出力させることができる。
【００４９】
次に、第１ラジオチューナ２００について説明する。
図２において、第１ラジオチューナ２００は、ラジオ受信部２０１、出力部２０２、ネットワークインターフェース２０３、表示部２０４、操作部２０５、制御部２０６を備える。なお、図示しないが、第１ラジオチューナ２００は、アンプに接続され、アンプを介して受信したラジオ放送のオーディオ信号がスピーカから出力される。
【００５０】
ラジオ受信部２０１は、後述する制御部２０６の制御に基づいて、受信する放送局を選局し、アンテナ２００ａによりラジオ放送を受信し、受信した放送信号をオーディオ信号に変換し、出力部２０２に出力する。また、ラジオ受信部２０１は、後述する制御部２０６の制御に基づいて、受信した放送信号の受信感度を検出し、受信感度を示す受信感度情報をネットワークインターフェース２０３に出力する。
【００５１】
出力部２０２は、ラジオ受信部２０１から入力された放送信号をオーディオ信号に変換し、外部装置に出力する。
【００５２】
ネットワークインターフェース２０３は、ＡＶアンプ１００のネットワークインターフェース１０１と同様に、ネットワーク７００と接続し、ネットワーク７００を介して他の装置への制御信号の送信、他の装置から送信されたデータの受信を行う。ネットワークインターフェース１０１は、他の装置から送信されたデータが制御信号である場合には当該データを後述する制御部２０６に出力する。
【００５３】
表示部２０４は、受信するラジオ放送を特定する放送局情報を表示する。操作部２０５は、受信するラジオ放送局の選局等のボタンを備え、操作されたボタンに対応する指示信号を制御部２０６に出力する。
【００５４】
制御部２０６は、第１ラジオチューナ２００全体を総合的に制御する。制御部２０６は、操作部２０５からの指示信号に基づいて、ラジオ受信部２０１を制御し、受信する放送局を選局させ、受信した放送信号をオーディオ信号に変換させ、出力部２０２から出力させる。
【００５５】
また、制御部２０６は、ネットワークインターフェース２０３が他の装置からの制御信号を受信すると、当該制御信号に基づいて動作する。例えば、制御部２０６は、ＡＶアンプ１００から装置情報の送信要求の制御信号を受信した場合、装置情報をＡＶアンプ１００に送信する。また、制御部２０６は、ＡＶアンプ１００から受信感度情報の送信要求の制御信号を受信した場合、ラジオ受信部２０１を制御し、当該制御信号に含まれる受信する放送局の情報に基づいて放送局を選局し、受信感度を検出させ、検出した受信感度を受信感度情報としてＡＶアンプ１００に送信する。また、制御部２０６は、ＡＶアンプ１００から受信開始の送信要求の制御信号を受信した場合、ラジオ受信部２０１を制御し、選局されたラジオ放送局の放送信号を受信させ、受信した放送信号をデジタルオーディオ信号に変換させ、ネットワークインターフェース２０３によりＡＶアンプ１００に送信する。
【００５６】
次に、本実施例のＡＶシステムにおけるラジオチューナの選択の動作を説明する。
図３は、本実施例のＡＶアンプにおけるチューナ選択処理を示すフローチャートである。
図２に示すＡＶアンプ１００において、操作部１０７によりユーザがビデオ信号又はオーディオ信号の再生を行う装置としてラジオチューナを選択し、受信する放送局を選択すると、操作部１０７は、指示信号を制御部１１０に出力する。
【００５７】
図３において、制御部１１０は、操作部１０７からの指示信号に基づいて、ラジオチューナが選択され、受信する放送局が選択されたことを判断すると（Ｓ３０１）、チューナ選択処理を実行する。
【００５８】
制御部１１０は、選択された放送局の放送信号を受信するようＡＶアンプラジオチューナ１０３を制御する（Ｓ３０２）。
【００５９】
ＡＶアンプラジオチューナ１０３において、選択された放送局の受信が可能になると、制御部１１０は、ＡＶアンプラジオチューナ１０３に当該放送局の受信感度を検出させる（Ｓ３０４）。ＡＶアンプラジオチューナ１０３が受信感度情報を検出すると、制御部１１０は、当該受信感度情報を取得し、当該受信感度情報をＡＶアンプチューナ１０３であることを特定する識別情報と共に受信感度情報記憶部１０９に記憶する（Ｓ３０５）。
【００６０】
また、制御部１１０は、前記ＡＶアンプラジオチューナ１０３に対する放送信号の受信の制御を開始すると同時に、ネットワーク７００に接続されている装置の情報を取得するため、ネットワーク７００に接続されている装置に対し装置情報の送信要求の制御信号を出力する（Ｓ３０３）。
【００６１】
ＡＶアンプ１００から装置情報の送信要求の制御信号を受信した装置は、ＡＶアンプ１００に対し装置情報を送信する。ここで、ネットワーク７００に接続されている装置において、電源がオフだった場合、或いは、ＡＶアンプ１００との制御信号・データの送受信の処理に対応していない場合、当該装置は、ＡＶアンプ１００に対し情報等の送信をしない。また、ネットワーク７００に接続されている装置において、電源がスタンバイ状態の場合、当該装置は、装置情報の送信要求の制御信号を受信すると、必要とする回路のみ動作させ、ＡＶアンプ１００に対して装置情報を送信する。
【００６２】
ＡＶアンプ１００の制御部１１０は、ネットワーク７００に接続された各装置からの装置情報を受信すると、当該装置情報からラジオチューナ（第１ラジオチューナ２００、第２ラジオチューナ３００）を特定する（Ｓ３０６）。そして、制御部１１０は、第１ラジオチューナ２００及び第２ラジオチューナ３００に対し、受信感度情報の送信要求の制御信号を送信する（Ｓ３０７）。なお、当該受信感度情報の送信要求の制御信号には、受信する放送局を特定するための放送局情報も含まれる。
【００６３】
第１ラジオチューナ２００及び第２ラジオチューナ３００は、ＡＶアンプ１００から受信感度情報の送信要求の制御信号を受信すると、放送局の受信に必要な回路のみを動作させ、前記制御信号に含まれる放送局情報に基づいて、受信する放送局を選局し、放送信号の受信を開始する。そして、予め定めた時間（例えば、１〜２秒間）、放送信号を受信した後、当該放送局における受信感度を検出し、受信感度情報をＡＶアンプ１００に送信する。
【００６４】
ＡＶアンプ１００は、第１ラジオチューナ２００又は第２ラジオチューナ３００から送信されてきた受信感度情報を受信すると、制御部１１０の制御により、受信感度情報記憶部１０９に受信した受信感度情報を記憶する（Ｓ３０８）。
【００６５】
ＡＶアンプ１００の制御部１１０は、ネットワーク７００に接続されている全てのラジオチューナから受信感度情報を取得すると、受信感度情報記憶部１０９に記憶された受信感度情報を比較し（Ｓ３０９）、最も受信感度が良いラジオチューナ（ＡＶアンプラジオチューナ１０３、第１ラジオチューナ２００又は第２ラジオチューナ３００）を選択する（Ｓ３１０）。本実施例では、第１ラジオチューナ２００が最も受信感度が良いラジオチューナとする。
【００６６】
制御部１１０は、受信感度が最も良い第１ラジオチューナ２００に対し、放送局の受信を行うよう受信開始の制御信号を送信する（Ｓ３１１）。
【００６７】
第１ラジオチューナ２００は、ＡＶアンプ１００から送信された受信開始の制御信号を受信すると、選局された放送局の放送信号の受信を開始し、受信した放送信号をデジタルオーディオ信号に変換し、当該デジタルオーディオ信号をネットワークインターフェース２０３によりネットワーク７００を介してＡＶアンプ１００に送信する。
【００６８】
ＡＶアンプ１００は、第１ラジオチューナ２００から送信されてきたデジタルオーディオ信号をネットワークインターフェース１０１により受信する。受信したデジタルオーディオ信号は、信号処理部１０４により信号処理が施され、オーディオ出力部１０６によりアナログオーディオ信号に変換され、スピーカ１００ｃから出力される（Ｓ３１２）。
【００６９】
以上のように、本実施例のＡＶシステムにおいては、ラジオチューナが選択され、受信する放送局が選択されると、当該ＡＶアンプに内蔵されているラジオチューナを含めネットワークに接続されているラジオチューナから、選局された放送局の受信感度情報を取得し、最も受信感度の高いラジオチューナが受信した放送信号のオーディオ信号を出力することができる。したがって、ユーザは、受信感度が良いラジオ放送を聴取できる。また、ネットワークを介して受信感度が良いラジオチューナの放送信号を取得できるため、余分にアンテナを設置する必要がなく、配線数を少なくすることができる。
【００７０】
なお、前述した実施例は、ラシオ放送を例に挙げ説明したが、それに限定されず、テレビ放送、デジタル地上はテレビ放送、衛星放送の場合でも適用できる。
【図面の簡単な説明】
【００７１】
【図１】本発明のＡＶシステムの一実施例の概略構成を示す図。
【図２】本実施例のＡＶアンプ及び第１ラジオチューナの概略構成を示す図。
【図３】本実施例のＡＶアンプにおけるチューナ選択処理を示すフローチャート。
【符号の説明】
【００７２】
１００・・・ＡＶアンプ、１００ａ・・・アンテナ、１００ｂ・・・モニタ、１００ｃ・・・スピーカ、２００・・・ラジオ受信機、２００ａ・・・アンテナ、３００・・・コンポーネントステレオ、３００ａ・・・アンテナ、４００・・・ＤＶＤプレーヤ、５００・・・ＨＤレコーダ、６００・・・テレビ受信機、７００・・・ネットワーク。
１０１・・・ネットワークインターフェース、１０２・・・入力部、１０３・・・ＡＶアンプラジオチューナ、１０４・・・信号処理部、１０５・・・ビデオ出力部、１０６・・・オーディオ出力部、１０７・・・操作部、１０８・・・表示部、１０９・・・受信感度情報記憶部、１１０・・・制御部。
２０１・・ラジオ受信部、２０２・・・出力部、２０３・・・ネットワークインターフェース、２０４・・・表示部、２０５・・・操作部、２０６・・・制御部。
【図１】
2007060575.tif 000003
【図２】
2007060575.tif 000004
【図３】
2007060575.tif 000005